(57)【要約】蓋(10)を有するバケツ(10)であって、蓋の周縁リム(33)は容器本体(11)の縁に突設された周縁フランジ(16)と係合する。閉蓋状態では蓋周縁リム(33)の下端面(34)が周縁フランジ(16)の一部で覆われ、周縁フランジ(16)には蓋(12)を持ち上げるラッチ解除用のタブ片(36)が枢動可能に設けられ、ラッチ解除前ではタブ片が閉蓋位置に相当するロック位置にあって周縁フランジ(16)と整列し、ラッチ解除操作時にはタブ片の枢動軸心(45)から離れた縁部を容器本体(11)から離反させる。この開蓋機構の取り扱いを好適にし、蓋(12)のラッチ解除と持ち上げを安定確実にしたバケツ(10)を提供するために、タブ片(36)を蓋主平面とほぼ垂直な枢動軸心(45)周りに枢動可能に周縁フランジ(16)に枢着し、蓋の周縁リム(33)によって少なくとも部分的に覆われるタブ片上端面にラッチ解除操作時のタブ片(36)の枢動で周縁リム(33)の下端面(34)と係合状態になるカム軌条(40)を設けてある。
2005533729.tif 000002
【特許請求の範囲】
【請求項１】
特にバケツ（１０、１１０）タイプのポット形容器であって、蓋（１２、１１２）を備え、この蓋に設けられた周縁リム（３３、１３３）が容器本体（１１、１１１）の縁に外方へ突出するように設けられた周縁フランジ（１６、１１６）と係合可能であり、蓋が容器本体に適正に係合している閉蓋状態においては蓋の周縁リム（３３、１３３）の下端面（３４、１３４）が容器本体の周縁フランジ（１６、１１６）の一部によって覆われ、容器本体の周縁フランジ（１６、１１６）の周方向の一部の領域には周縁リムの一部において蓋（１２、１１２）を持ち上げるラッチ解除操作のためのタブ片（３６、１３６）が容器本体の周縁フランジに対して枢動可能に設けられ、ラッチ解除操作前においてはタブ片が閉蓋状態に相当するロック位置にあって容器本体の周縁フランジ（１６、１１６）と整列し、ラッチ解除操作によってタブ片の枢動軸心（４５、１４５）から離れた縁部を容器本体（１１、１１１）から離反させることによってタブ片がロック位置から蓋持ち上げ位置へ移動可能としたポット形容器において、前記タブ片（３６、１３６）が、蓋の主平面に対してほぼ垂直又は鋭角で傾斜した枢動軸心（４５、１４５）を中心として枢動可能に容器本体の周縁フランジ（１６、１１６）の周面又は容器本体（１１、１１１）に枢着されていると共に、蓋の周縁リム（３３、１３３）によって少なくとも部分的に覆われるタブ片上端面に、ラッチ解除操作のためのタブ片（３６、１３６）の枢動時に蓋の周縁リム（３３、１３３）の下端面（３４、１３４）と係合状態になるカム軌条（４０、１４０）を備えていることを特徴とするポット形容器。
【請求項２】
枢動軸心（４５）が、ほぼ水平な蓋主平面に対し、その互いに直行する水平軸の一方及び／又は他方の方向に傾いていることを特徴とする請求項１に記載のポット形容器。
【請求項３】
タブ片（１３６）が容器本体（１１１）から間隔をあけて該容器本体に枢動可能に取り付けられていることを特徴とする請求項１に記載のポット形容器。
【請求項４】
枢動軸心（４６）が、タブ片（３６）と容器本体の周縁フランジ（１６）との間、又はタブ片（３６）と容器本体（１１）との間のフィルムヒンジ（４５）によって形成されていることを特徴とする請求項１又は２に記載のポット形容器。
【請求項５】
容器本体（１１）側に向いたタブ片（３６）の一端部に湾曲部（５２）が設けられ、この湾曲部の端縁（３８）がフィルムヒンジ（４５）に移行していることを特徴とする請求項４に記載のポット形容器。
【請求項６】
タブ片（３６）の両端縁（３８、３９）が狭隙間を介して容器本体の周縁フランジ（１６）の対向する周方向端面（４３、４４）から分離されており、タブ片（３６）の長手方向で非対称な領域には角度を成して突出するピボット脚部が形成され、このピボット脚部の端縁がフィルムヒンジ（４５）に移行していることを特徴とする請求項４に記載のポット形容器。
【請求項７】
枢動軸心（１４６）が、タブ片（１３６）と容器本体（１１１）に形成された取付支持部（１６０）との間のフィルムヒンジ（１４５）によって形成されていることを特徴とする請求項１又は３記載のポット形容器。
【請求項８】
タブ片（１３６）が内側面に補強部（１６３）を備え、この補強部がフィルムヒンジ（１４５）によって取付支持部（１６０）に結合されていることを特徴とする請求項７に記載のポット形容器。
【請求項９】
取付支持部（１６０）が、下方から見て三角形状又は台形状に配置された取付脚部（１６１、１６２）として構成され、該取付脚部が容器本体（１１６）の周面から突出していることを特徴とする請求項７又は８に記載のポット形容器。
【請求項１０】
枢動軸心（１４５）が、二又レバー形状を構成するタブ片（１３６）の端部に設けられていることを特徴とする請求項１又は７〜９のいずれか１項に記載のポット形容器。
【請求項１１】
タブ片（３６、１３６）の少なくとも一部と周縁フランジ（１６、１１６）との間に引きちぎり又はラッチ又は変形可能な未開封保証手段（１５、１１５）が設けられていることを特徴とする請求項１〜１０のいずれか１項に記載のポット形容器。
【請求項１２】
容器本体の周縁フランジのタブ片（３６、１３６）に隣接する部分に該タブ片を収容するための凹部（３７、１３７）が設けられ、この凹部を画定する長手方向内端縁（４６、１４６）に対してタブ片（３６、１３６）のカム軌条（４０、１４０）が設けられているカム片上端面が突起部又は膜部（５１、１５１）を介して引きちぎり可能に結合されていることを特徴とする請求項１又は１１に記載のポット形容器。
【請求項１３】
タブ片（３６、１３６）のカム軌条（４０、１４０）と周縁フランジ（１６、１１６）の長手方向内端縁（４６、１４６）との間において前記突起部又は膜部（４８、１４８）が枢動軸心から遠い方で且つ蓋の周縁リム（３３、１３３）に対して露呈した領域に設けられていることを特徴とする請求項１２に記載のポット形容器。
【請求項１４】
少なくとも１つのラッチ可能又は変形可能な突起（５３）がタブ片（３６）に設けられており、該突起は、容器が原初の閉蓋状態から最初の開蓋を経た状態に移行すると該突起に対応する位置の別の固定突起（５４）又は周縁フランジ部分に対する係合状態を不可逆的に変化させることを特徴とする請求項５に記載のポット形容器。
【請求項１５】
ラッチ可能又は変形可能な突起（５３）が、タブ片（３６）の湾曲部分（５２）と取っ手部分（５０）から遠い方のタブ片端部との少なくとも一方に形成されていることを特徴とする請求項５又は６又は１４に記載のポット形容器。
【請求項１６】
タブ片（３６）が、タブ片（３６）の主要部に対して曲折可能な取っ手部分（５０）を有することを特徴とする請求項６に記載のポット形容器。
【請求項１７】
未開封保証手段（１１５）が、タブ片（１３６）の枢動時に視認可能な枢動ラッチ完了位置に変位する枢動ラッチクリップ（１７０）によって形成されていることを特徴とする請求項１又は１１に記載のポット形容器。
【請求項１８】
枢動ラッチクリップ（１７０）が、タブ片（１３６）の枢動軸心（１４５）とほぼ平行なラッチクリップ枢動軸心（１７５）を有することを特徴とする請求項１７に記載のポット形容器。
【請求項１９】
ラッチクリップ（１７０）がほぼＴ字状又はハンマー状の断面形状に構成され、該ラッチクリップのベース脚部（１７１）の自由端にラッチクリップ枢動軸心（１７５）が位置すると共に、該ラッチクリップの両腕部（１７２、１７３）の少なくとも一方がラッチ部（１７４）を構成していることを特徴とする請求項１７又は１８に記載のポット形容器。
【請求項２０】
ラッチクリップ枢動軸心がベース脚部（１７１）の端部と取付支持部（１６０）に形成された取付脚部（１６１、１６２）の自由端との間に設けられたフィルムヒンジ（１７５）によって形成されていることを特徴とする請求項１８又は１９に記載のポット形容器。
【請求項２１】
取付脚部（１６１、１６２）が容器本体（１１１）の周面と平行に延在していることを特徴とする請求項２０に記載のポット形容器。
【請求項２２】
枢動ラッチ完了位置におけるラッチクリップ（１７０）が容器本体の周縁フランジ（１１６）の内側面と容器本体（１１１）の外周面との間で支持脚部（１６６’）と係合可能であることを特徴とする請求項１７〜２１のいずれか１項に記載のポット形容器。
【請求項２３】
ラッチクリップの両腕部（１７２、１７３）の外面及び支持脚部（１６６’）のラッチクリップ（１７０）側の側面に互いに平行な係止リブ（１７７）がそれぞれ設けられていることを特徴とする請求項２２に記載のポット形容器。
【請求項２４】
原初の未開封状態ではラッチクリップ（１７０）の外面が容器本体の周縁フランジ（１１６）の周方向端部（１４３）とタブ片（１３６）の枢動軸心（１４５）に隣接する作動端部（１４７）との間に形成される隙間（１４８）の内側に位置していることを特徴とする請求項１７〜２３のいずれか１項に記載のポット形容器。
【請求項２５】
タブ片（１３６）がその枢動軸心からの距離が短い方のレバーアーム上にラッチクリップ（１７０）を枢動させるための作動端部（１４７）を備えていることを特徴とする請求項１７〜２４のいずれか１項に記載のポット形容器。
【請求項２６】
タブ片（１３６）の作動端部（１４７）がラッチクリップ（１７０）の枢動軸心からの距離が短い方のレバーアーム及び／又はそのベース脚部（１７１）と係合することを特徴とする請求項２５に記載のポット形容器。
【請求項２７】
ラッチクリップの両腕部（１７２、１７３）が湾曲して延在していることを特徴とする請求項１９〜２６のいずれか１項に記載のポット形容器。
【請求項２８】
カム軌条（４０、１４０）がタブ片の枢動軸心（４５、１４５）に向かって容器本体（１１、１１１）の上縁まで達していることを特徴とする請求項１〜２７のいずれか１項に記載のポット形容器。
【請求項２９】
タブ片（３６、１３６）が、蓋の周縁リム（３３、１３３）と重なる部分よりも外側の領域で増厚されていること及び／又は取っ手部の握り面を拡大されていることを特徴とする請求項１〜２８のいずれか１項に記載のポット形容器。
【請求項３０】
タブ片（１３６）が原初の出発位置にあるときに、その取っ手部の握り面自由端（１５０）が容器本体（１１１）の外周面から離間して突出する支持脚部（１６６”）に内側で当接していることを特徴とする請求項１〜２９のいずれか１項に記載のポット形容器。
【発明の詳細な説明】
【技術分野】
【０００１】
本発明は、請求項１の前文部分に記載された蓋付きの特にバケツタイプのポット形容器に関するものである。
【背景技術】
【０００２】
特許文献１によって公知のこの種のポット形容器では、蓋をラッチ解除して持ち上げるためのタブ片が容器本体の周縁フランジ上で周方向と平行な水平な枢動軸心によって枢動可能に保持されている。即ち、枢動軸心はタブ片の下端縁と平行に延在し、この下端縁は容器本体の周縁フランジの周縁下端面と整列されている。この場合、タブ片の外面の一部が蓋をラッチ解除して持ち上げるための作用面として機能する。この公知のポット形容器においてタブ片の好適なレバーアーム長を達成するには、タブ片が容器本体の周縁フランジの下端縁から或る寸法で外方に突出していなければならない。それでもなお、蓋へ向かって外方に枢動されるタブ片で蓋をラッチ解除して持ち上げると、蓋自体の動きは比較的急激で不意の動きとなる。加えて、このような開蓋時の蓋の動きによれば、操作する者はタブ片の裏側に指を掛けて親指を蓋に当て、親指を蓋のラッチ解除及び持ち上がり運動に抗して使うはめになる。
【特許文献１】欧州特許第０５６５９６７号明細書
【発明の開示】
【発明が解決しようとする課題】
【０００３】
本発明の課題は、冒頭に述べた特にバケツタイプの蓋付きポット形容器において、一層便利な取り扱いを可能とし、且つ蓋のラッチ解除及び持ち上げ動作を一層安定確実にすることのできる開蓋機構を備えたポット形容器を提供することである。
【課題を解決するための手段】
【０００４】
この課題は、冒頭に述べた特にバケツタイプの蓋付きポット形容器において、請求項１に記載した特徴によって解決される。
【０００５】
本発明によれば、容器本体の周方向におけるタブ片の長さを邪魔にならない範囲で増加することによって僅かな力の印加で開蓋可能なレバーアーム長を与えることができ、タブ片を必ずしも容器本体の周縁フランジよりも下方に突出させる必要がない。カム軌条を相応した形状に選定することにより、蓋のラッチ解除及び持ち上げ動作を安定に、従って優しくソフトに果たすことが可能となる。開蓋操作にあたって蓋に何らかの抗力を加える必要はなく、せいぜい容器本体の壁に対して僅かな支持力が必要なだけである。
【０００６】
タブ片の枢動軸心は、正確に垂直、従って容器本体の概念的な軸心に対して実質的に平行に配置することができ、或いは請求項２の特徴に従って容器本体の軸心及び／又は概念的なＸ‐Ｙ水平面に向かって傾斜させておくこともできる。後者の場合、蓋のラッチ解除及び持ち上げ動作を助長させる点で有利である。
【０００７】
タブ片が容器本体に設けられている場合、請求項３の特徴を有利な形態で組み合わせることができる。
【０００８】
請求項４又は請求項７の特徴によるタブ片の枢動軸心は製造が容易である。
【０００９】
容器本体に対するタブ片の有利な枢着形態は、請求項５又は請求項６に記載された特徴或いは請求項８〜１０のいずれか１項に記載の特徴に従って、単一アームレバー又は二又アームレバーの構成によって達成することができる。
【００１０】
請求項１１〜１３のいずれか１項に記載の特徴によれば、容器の最初の開蓋の痕跡を表示することによるポット形容器の未開封保証手段を付加的に有利に提供する。蓋をラッチ解除して持ち上げるためのタブ片は、タブ片を容器本体の周縁フランジと素材接合の形式で結合する脚部又は膜部の形態で未開封保証手段を備えることができ、この脚部又は膜部はタブ片を最初に開蓋操作して引き起こす際に引きちぎられる。このような明確な未開封保証手段の破壊に代えて、本発明の別の実施形態によるポット形容器では一層単純で穏やかな動作の未開封保証手段を提供することができる。この場合の未開封保証手段では、素材接合による結合は開蓋操作で破壊されるのではなく、従って必ずしも完全な開蓋に相応する力の印加とタブ片の急激な動きがあったことを表示するのではないが、蓋の持ち上がり運動の終了後も係止ラッチの結合が残され、但しこの係止ラッチの結合は元の状態に復帰できず、従って視認可能な開蓋の痕跡を残すことになる。これに関連する更に別の有利な実施形態は請求項１４〜１６又は１７〜２７のいずれか１項による特徴に述べられている通りである。この場合に特筆すべき点は、タブ片と係止ラッチ部材、即ちラッチクリップとの動きの順序にある。係止ラッチ部材の枢動運動はタブ片の枢動運動に由来して安定に伝達される。この場合、係止ラッチ部材は、その枢動運動の初期に容器本体の周縁フランジの周縁下に沈み込むように構成されている。最も単純に製造できる係止ラッチ部材としては、容器本体の周縁フランジに対する隣接支持脚部に設けたラッチ部を挙げることができる。
【００１１】
請求項２８及び／又は請求項２９及び／又は請求項３０に記載した特徴により、取り扱いプロセス面での幾つかの利点を達成することができる。
【発明を実施するための最良の形態】
【００１２】
本発明の更なる詳細を図示の実施形態に基づいて説明すれば以下の通りである。
【００１３】
図１〜図７に示す第１実施形態による容器はプラスチック成形品からなるバケツ１０、１０’、１０”であり、その本体１１の上面開口は同様にプラスチック成形品である蓋１２によって閉鎖される。後述するように、蓋１２は、バケツ１０と一体に設けられた開蓋補助具１３、１３’、又は１３”以外では開蓋できないように本体１１に係止嵌着されている。
【００１４】
バケツ１０、１０’、１０”の本体１１は、底部から遠い方の上端部にバケツ開口を画定しており、この上端には、略屋根形断面形状の周縁フランジ１６が一体成形され、該周縁フランジが隙間を介して本体１１の外周面上端部を取り囲んでいる。周縁フランジ１６は本体１１に形成された狭幅の第１屋根部１７を有し、その棟部１８は蓋１２の支持部を形成して幅広の第２屋根部１９に続いている。第２屋根部１９は棟部１８に隣接する平坦部２１を有し、この平坦部の下端には本体１１の方に向けて窪んだ周溝２２を介して下部フランジ端２４が形成されている（図６Ｂと図７参照）。この場合、周溝２２は平坦部２１への移行部における深さよりも下部フランジ端２４への移行部における深さの方が深くなっている。これにより、周溝の上部内壁２５よりも下部内壁２６のほうが上から見て外方へ張り出しており、この張り出し部が後述するように蓋の周縁の肉厚分を受け入れるための載置面を形成している。
【００１５】
蓋１２は、いずれの実施形態でも同様の構造であって平坦な閉鎖天板３１を有し、この閉鎖天板の上面には、垂直に突出してほぼ周方向に配列された心出しリム３２が設けられている。閉鎖天板３１の外周縁を構成する周縁リム３３は、内面側がバケツ本体の周縁フランジ１６に対応する形状に成形されており、密閉閉蓋状態においてその下端面３４が前述の載置面２６に載置された際に蓋の周縁リム３３の外周面がバケツ本体側の周縁フランジ１６の下部フランジ端２４の外周面とほぼ面一になるようにしてある。蓋の周縁リム３３の内面側には内方に突出して周方向に延在するラッチ用の係止リブ３５が設けられ、この係止リブは、蓋１２を密閉ラッチした状態においては、バケツ１０、１０’、１０”に対して周縁フランジ１６の周溝２２内の上部内壁２５に係止される。このようにしてバケツ１０、１０’、１０”にラッチされた蓋１２は、工具を用いない限り、即ち素手ではバケツ本体１１から持ち上げることができないので、本発明によるポット形容器には開蓋補助具１３、１３’、１３”が設けられている。
【００１６】
図１〜図４に示した実施形態における開蓋補助具１３は、バケツ本体上端部の全周に延在する周縁フランジ１６の第２屋根部分１９の途中に介在配置されたタブ片３６を有している。この目的で周縁フランジ１６の第２屋根部分１９には凹部３７が設けられ、この凹部内にタブ片３６が枢動可能に一端で枢着されている。凹部３７内のタブ片３６は周方向の一端が枢着端縁３８によって、他端が自由端縁３９によって画定され、この自由端縁から周方向へ棟部１８に向かうカム軌条４０と、棟部１８から遠い方の段差付き下端縁４１とによって輪郭を定められ、この下端縁は枢着端縁３８に向かう方向へは周縁フランジ１６の下端縁４２と一直線に並ぶように延在し、その逆方向では下方へ拡がって張り出した形状の取っ手部５０を形成している。枢着端縁３８は、周縁フランジ１６の第２屋根部分１９の主要部に亘って棟部１８の近傍まで延在している。タブ片３６の自由端縁３９は枢着端縁３８とほぼ平行な関係で下部フランジ端２４の領域に重なるように延在し、周溝２２の手前の蓋１２の外側で終端している。後述するように予め定められたカム曲線のカム軌条４０が、平坦部２１、周溝２２、及び下部フランジ端２４の一部に亘る範囲を超えるように周方向に延在している。周縁フランジ１６の凹部３７は、タブ片３６の枢着端縁３８に平行な枢着端縁４３と、これから離れた位置の自由端縁４４とを有しており、この自由端縁は下部フランジ端２４の領域内ではタブ片３６の自由端縁３９と平行に延在している。タブ片３６と周縁フランジ１６との間のこれら各端縁間には狭い隙間が設けられていることは述べるまでもない。周縁フランジ１６の周面の枢着端縁４３に対向するタブ片側の枢着端縁３８はフィルムヒンジ４５によって枢着端縁４３に連結されており、これによって形成される枢動軸心を中心としてタブ片３６は枢動可能である。周縁フランジ１６における凹部３７は矩形であってもよい。但し図示の実施形態では、凹部３７の端縁４３と４４とを結ぶ長手方向の内端縁４６は、タブ片３６のカム軌条４０と平行に斜めに延在している。
【００１７】
タブ片３６のカム軌条４０は正弦曲線状のものであり、枢着端縁３８、即ちフィルムヒンジ４５から出発して、凸面状に上昇する曲線部、それに続いて逆向きに凹面状に下降する曲線、及びそれに続いて自由端縁３９に至る直線状末端部を有している。図１〜図４に示した第１実施形態と、図５Ａ、図５Ｂ、図６Ａ、及び図６Ｂに示した第２実施形態とにおいて、カム軌条４０は部分的に周縁リム３３で覆われているだけであり、その長手方向の約１／３に相当する端部が下部フランジ端２４の領域で露呈しているので、それらの相対位置関係及び状態が外部から視認可能である。
【００１８】
開蓋補助具１３としてのタブ片３６の機能は以下のように果たされる。即ち、タブ片３６の周方向の自由端縁、例えば周縁フランジ１６の下端縁４２の下に張り出し又は拡幅されている取っ手部５０を掴んで縦向きの枢動軸心４５周りに外方へ、即ちバケツ本体１１から離れる方向に枢動させる。これによるカム軌条４０の外方への枢動によって蓋１２の下端縁３４にカム軌条が作用し、タブ片３６が更に枢動されるのに伴って外方へ回動しつつ上昇するカム軌条４０により蓋１２が外向きに若干変形されながらラッチを解除されて持ち上げられる（図３）。このタブ片３６の領域において蓋１２が開蓋補助具１３によって持ち上げられると、もはや蓋１２は下端縁３４に手を掛けて外すことが可能である。タブ片３６はフィルムヒンジ４５の弾性で元の位置に戻り、例えばバケツ１０の内容物の出し入れの後に再び蓋１２を閉じて係止させることができる。
【００１９】
図示の実施形態及びその変形形態において、バケツ１０、１０’又は１０”の本体１１に蓋１２のために設けられる開蓋補助具１３、１３’又は１３”には、更に未開封保証手段１５、１５’又は１５”が設けられている。これにより、蓋１２をバケツ本体１１から持ち上げるための開蓋補助具１３、１３’、１３”が既に少なくとも１回は操作されたか否かをこの未開封保証手段で知ることができる。図１〜図５の第１実施形態では、未開封保証手段１５が引きちぎり可能な突起部又は膜部５１によって形成されており、この突起部又は膜部はタブ片３６のカム軌条４０と凹部３７の長手方向の内端縁４６との間に設けられている。この未開封保証手段１５は枢着端縁３８と内端縁４６の領域に設けられ、密閉閉蓋状態でラッチされた蓋１２の下方、即ち周縁フランジ１６の下部フランジ端２４内に視認できる。即ち、タブ片３６をその縦向きの枢動軸心４５の周りに枢動させて蓋１２を最初にラッチ解除して持ち上げると突起部又は膜部５１が破断され、この破断が存在することによって既に最初の開蓋が行われていることを視認できる。
【００２０】
図５Ａ、図５Ｂ、図６Ａ、図６Ｂに示す第２実施形態では、図１〜図４の第１実施形態と相違する点として、縦向きの枢動軸心４５’が周縁フランジ１６の領域にではなく、バケツ１０の本体１１の外壁面に設けられている。即ち、タブ片３６’はその枢着端縁３８がフィルムヒンジ４５を介してバケツ本体１１の外壁面に枢動可能に保持されている。
【００２１】
この実施形態では、タブ片３６’はバケツ本体１１上に枢着された枢着端縁３８と自由端縁３９、即ち握り部５０との間に、ほぼ９０°に亘って延在する弧状湾曲部５２を備えている。カム軌条４０’は、第１実施形態で述べたように、自由端縁３９から出発してタブ片３６’の平坦な長手方向上端縁を介して湾曲部５２の上端縁を通り、枢着端縁３８まで連続的に延在している。カム軌条４０’のカム曲線は第１実施形態のタブ片３６のカム軌条４０のカム曲線にほぼ対応する。従って、この開蓋補助具１３’においてもタブ片３６’を操作すれば前述と同様の蓋１２のラッチ解除と持ち上げの動きが生じる。
【００２２】
この開蓋補助具１３’も、図１〜図４の第１実施形態で述べた未開封保証手段１５をタブ片３６’と周縁フランジ１６との間の視認可能な領域に備えることができる。図５Ａ、図５Ｂ、図６Ａ、図６Ｂに示す第２実施形態では、未開封保証手段１５’は係止突起５３及び５４の形態で設けられており、そのうち係止突起５３はタブ片３６の湾曲部５２に突設され、係止突起５４は周縁フランジ１６のタブ片３６’に近い領域でバケツ本体１１側に向いて支持された脚部５５に突設されている。係止突起５３、５４は互いに対向配置されており、周溝２２又は係止状態の蓋１２の下端縁３４の下部で視認できるようにタブ片３６’及び周縁フランジ１６の予め定められた高さ範囲に亘って延在している。係止突起５３、５４は、詳細には図示しないが、それらの互いに対面する正面側で噛み合わせ可能となっている。
【００２３】
バケツ本体１１上に蓋１２が適正に係止されている状態においては、図５Ａ及び図５Ｂに示すように両係止突起５３、５４はそれらの歯付正面エッジが或る特定の大きさの相対間隙を形成している。一方、タブ片３６’が開蓋位置、即ち蓋１２をラッチ解除して持ち上げる状態にあるときは、タブ片３６’の枢動運動によって係止突起５３が周縁フランジ１６の係止突起５４内に脱離不能に係合した状態となる。即ち、両係止突起５３、５４の相互のラッチ係合により、タブ片３６’は図６Ａ及び図６Ｂに示す枢動位置に留まるか、或いはいずれにせよ最初の開蓋運動の痕跡を示す開蓋枢動位置に留まることになる。この開蓋枢動位置は、タブ片３６’が図６Ａ及び図６Ｂに誇張して示したよりも小さな開き角度となる位置としたほうが有利である。タブ片３６’が開蓋運動とは逆に矢印Ｖ方向へ取っ手部５０によって本体１１に向けて枢動されても、両係止突起５３、５４は材料の弾性変形で相互の係合状態を維持する。これは、蓋１２を本体１１の周縁フランジ１６上に再び係止しても両係止突起５３、５４の脱離不能な結合が維持されること、従って未開封保証手段１５’の損傷が視認可能な状態に維持されることを意味する。蓋１２を再び係止するには、閉蓋と同時に上述のようにタブ片３６’を矢印Ｖ方向に動かすか、又は蓋１２のカム作用領域に対してタブ片３６’のカム軌条４０’に設けた図示しない傾斜面によるかのいずれかで果たすことができる。
【００２４】
図示しない変更形態として、図５及び図６に示した第２実施形態における未開封保証手段１５’の係止突起５３及び５４を変形可能な複数のフィンガー片として構成し、本体１１上で蓋１２が原初の閉蓋状態にあるときに、バケツ外面から見てタブ片３６’側のフィンガー片が周縁フランジ１６側のフィンガー片の上に位置するように両フィンガー片同士が部分的に重なるようにしておいてもよい。この場合、図６に示したようにタブ片３６’を開蓋操作で枢動させると、少なくとも１つのフィンガー片がフィンガー片同士の部分的重なり状態を変化させ、即ち、例えば今まで外側に位置していたタブ片３６’側フィンガー片が内側から周縁フランジ側のフィンガー片に当接するように変形する。この状態は矢印Ｖ方向へのタブ片３６’の復帰操作時にはもはや変化できない。
【００２５】
図示の係止突起５３及び５４も、そして図示しない上述フィンガー片の場合も、バケツ本体１１から突出して湾曲状に延在する当接部５６にタブ片３６’の内側補強部５７が当接してタブ片３６’の矢印Ｖ方向への復帰運動が妨げられ、これにより、既に破壊された未開封保証手段１５’の故意の修復が同様に防止される。
【００２６】
図７に示す変更形態では、タブ片３６”のカム軌条４０”の下降端が周縁フランジ１６の溝２２までしか延在しておらず、従ってカム軌条４０”はバケツ本体１１上に適正に係止された状態の蓋１２の内側に全体的の覆われ、外部からは視認できないようになっている。この場合、タブ片３６”を外方へ枢動すると、それに伴って同時に材料の弾性でタブ片の下方への運動が起き、蓋１２の下端縁３４に下からカム軌条４０”を係合させることができるので、開蓋のための蓋のラッチ解除と持ち上げを同様に行うことが可能である。
【００２７】
図７に示す変更形態においては、変形可能な突起部５１”又はそれに加えて或いはその代替としての膜部がタブ片３６”の自由端縁３９と凹部３７の自由端縁４４との間の連結具として設けられている。変形可能な突起部又は膜部は、これら自由端縁のうちのいずれか一方に設けられ、適正な未開封態のときはその先端部側が隣接する自由端縁の背後に位置し、タブ片３６”を最初の開蓋操作で枢動させると、この初期位置から自身の弾性変形によって手前側に抜け出してくる。これら変形可能な脚部５１”又は変形可能な膜部の修復も、前述と同様にタブ片３６”を図示しない逆方向枢動を制限する当接部によって不可能とすることができる。
【００２８】
図７に示した変更形態は、図１〜図４及び図５、図６の各実施形態と比べて、枢動軸心の位置、従ってフィルムヒンジ４５”の位置も相違している。先に述べた各実施形態では枢動軸心４５がほぼ垂直、即ち概念的な対称軸Ｓ（円筒形のバケツの場合の回転軸心）とほぼ平行に配置され、第２屋根部分１９が本体１１に対して鋭角で傾いているので枢動軸心４５は相応の仕方で軸心Ｓに関してＸ‐Ｙ平面からＹ‐Ｚ平面へと傾斜させることができるのに対し、図７に示す変更形態では、枢動軸心、即ちフィルムヒンジ４５”がＸ‐Ｙ平面内で角度を成して傾き、即ち、枢動軸心から離れた自由端縁３９、４４に対して鋭角をなして配置されている。これにより、枢動軸心４５”が自由端縁に向って下から上へ傾いているので、タブ片３６”の枢動時に蓋１２の持ち上げ運動が促進される。
【００２９】
図７に示す変更形態では、例えば蓋の周縁リム３３に目視窓を設けておき、閉蓋状態では隠されているカム軌条４０”とその収容凹部の内端縁４６との間に未開封保証フィルムを貼付して目し窓からその破断の有無を視認できるようにすることもできる。
【００３０】
未開封保証手段１５、１５’又は１５”としては、タブ片３６、３６’又は３６”の取っ手部５０がタブ片の主要部に移行する領域に弱化線５８’（図５Ａにのみ破線で示す）を設けておき、タブ片３６、３６’、３６”の本来の開放運動以前に取っ手部５０がこの弱化線位置で永久的に曲げられ又は折り取られるようにしてもよい。このようにして取っ手部の破壊の有無を視認可能である。僅かに折り曲げられた取っ手部５０はバケツ本体１１上での蓋１２の再係止操作の妨げとはならない。勿論、これは前述の未開封保証手段の代替として、或いは付加的な保証手段として採用できるものであることは述べるまでもない。
【００３１】
図５及び図６に示した第２実施形態の別の変更形態では、タブ片３６’が全体として周縁フランジ１６の下部フランジ端２４中の周方向の途中の部分に延設され、その両側の自由端縁３８、３９が隙間を介して周縁フランジ１６の両自由端縁４３、４４に対向して向き合っている。タブ片３６’には、取っ手部５０から遠い方の端部領域における長手方向で非対称な位置に角度を成して突出するピボット脚部が一体に設けられ、ピボット脚部の端部をフィルムヒンジに移行させることでバケツ本体１１に枢動可能に結合されている。タブ片３６’には、取っ手部５０から遠い方の端部に未開封保証手段１５、１５’又は１５”を前述と同様に設けておくことができる。
【００３２】
凹部３７の周方向の寸法、従ってタブ片３６、３６’又はは３６”の周方向長さは、蓋１２をラッチ解除して持ち上げる際に要するレバーアーム長に必要な条件に依存する。
【００３３】
図８〜図１３に示した第３実施形態によるポット形容器もプラスチック成形品としてのバケツ１１０であり、その本体１１１は同様にプラスチック成形品である蓋１１２で閉鎖される。蓋１１２は、バケツ１１０に一体に設けられた開蓋補助具１１３以外では蓋１１２を開放できないように、本体１１１に係止嵌着されている。
【００３４】
バケツ１１０の本体１１１は、底部から遠い方の上端部にバケツ開口を画定しており、この上端には、略屋根形断面形状の周縁フランジ１１６が一体成形され、該周縁フランジが隙間を介して本体１１１の外周面上端部を取り囲んでいる。周縁フランジ１１６は本体１１１に形成された狭幅の第１屋根部１１７を有し、その棟部１１８は蓋１１２の支持部を形成して幅広の第２屋根部１１９に続いている。第２屋根部１１９は棟部１１８に隣接する平坦部１２１を有し、この平坦部の下端には本体１１１の方に向けて窪んだ周溝１２２を介して下部フランジ端１２４が形成されている。この場合、周溝１２２は平坦部１２１への移行部における深さよりも下部フランジ端１２４への移行部における深さの方が深くなっている。これにより、周溝の上部内壁１２５よりも下部内壁１２６のほうが上から見て外方へ張り出しており、この張り出し部が後述するように蓋の周縁の肉厚分を受け入れるための載置面を形成している。蓋１１２は平坦な閉鎖天板１３１を有し、この閉鎖天板の上面には、垂直に突出してほぼ周方向に配列された心出しリム１３２が設けられている。閉鎖天板１３１の外周縁を構成する周縁リム１３３は、内面側がバケツ本体の周縁フランジ１１６に対応する形状に成形されており、密閉閉蓋状態においてその下端面１３４が前述の載置面１２６に載置された際に蓋の周縁リム１３３の外周面がバケツ本体側の周縁フランジ１１６の下部フランジ端１２４の外周面とほぼ面一になるようにしてある。
【００３５】
蓋の周縁リム１３３の内面側には内方に突出して周方向に延在するラッチ用の係止リブ１３５が設けられ、この係止リブは、蓋１１２を密閉係止した状態においては、バケツ１１０に対して周縁フランジ１１６の周溝１２２内の上部内壁１２５に係止される。このようにしてバケツ１１０にラッチされた蓋１１２は、工具を用いない限り、即ち素手ではバケツ本体１１１から持ち上げることができないので、このポット形容器にも開蓋補助具１１３が設けられている。
【００３６】
開蓋補助具１１３は、バケツ本体上端部の全周に延在する周縁フランジ１１６の第２屋根部分１１９とタブフランジ端１２４の途中に配置されたタブ片１３６を有している。この目的で周縁フランジ１１６の第２屋根部分１１９と下部フランジ端１２４には凹部１３７が設けられ、この凹部内にタブ片１３６が枢動可能に一端で枢着されている。凹部１３７内のタブ片１３６は周方向の一端が作動端部１４７によって、他端が自由端縁１３９によって画定され、これら両端縁１４７と１３９の間で周方向へ棟部１１８に向かうカム軌条１４０と、棟部１１８から遠い方の段差付き下端縁１４１とによって輪郭を定められ、この下端縁は作動端部１４７に向かう方向へは周縁フランジ１１６の下端縁１４２と一直線に並ぶように延在し、その逆方向では下方へ拡がって張り出した形状の取っ手部１５０を形成している。タブ片１３６側の作動端部１４７と周縁フランジ１１６側の凹部１３７の対向自由端縁１４３との間には比較的幅広の隙間１４８が空けてあり、この隙間内に未開封保証手段１１５が配置されている。
【００３７】
タブ片１３６の作動端部１４７は周縁フランジ１１６の主要部に亘って棟部１１８の近傍まで延在しているが、幅広屋根部分１１９内では干渉しないように切り欠かれている。タブ片１３６の自由端縁１３９は作動端部１４７とほぼ平行に下部フランジ端１２４の一部に亘って延在し、周溝１２２の手前、即ち閉蓋状態の蓋１１２の外側で終端している。後述するように、予め定められたカム曲線のカム軌条１４０が、平坦部１２１、周溝１２２、及び下部フランジ端１２４の一部に亘る範囲を超えるように周方向に延在している。周縁フランジ１１６の凹部１３７は、作動端部１４７に平行な段差付自由端縁１４３と、これから離れた位置の自由端縁１４４とを有しており、この自由端縁は下部フランジ端１２４内ではタブ片１３６の自由端縁１３９と平行に延在している。タブ片１３６と周縁フランジ１１６との間のこれら端縁１４４と１３９との間には狭い隙間が設けられている。周縁フランジ１１６における凹部１３７は矩形であってもよい。但し図示の第３実施形態では、凹部１３７の端縁１４３と１４４とを結ぶ長手方向の内端縁１４６は、タブ片１３６のカム軌条１４０と平行に斜めに延在している。
【００３８】
タブ片１３６のカム軌条１４０は多角形状のものであり、作動端部１４７の切欠部分の上端から出発して、ほぼ水平な部分、これに続いて直線的に下降する部分、及びそれに続いて自由端縁１３９に至るほぼ水平な部分を有している。図示の実施形態において、カム軌条１４０は正弦波状に延在させることもできるが、カム軌条１４０は部分的に周縁リム１３３で覆われているだけであり、その長手方向の約１／３に相当する部分が下部フランジ端１２４の領域で露呈しているので、それらの相対位置関係及び状態が外部から視認可能であることは前出の各実施形態と同様である。
【００３９】
特に図９に示すように、タブ片１３６はフィルムヒンジ１４５として構成された枢動軸心を介して枢動可能であり、この枢動軸心は周縁フランジ１１６及びタブ片１３６の各自由端縁１３９、１４３と平行に、タブ片１３６の周面とバケツ本体１１１の周面との間の平面内に延在している。この目的で設けられている取付支持部１６０はバケツ本体１１１の外周面上に成形され、下から見て台形状に互いに向かって収斂する脚部１６１、１６２から構成されている。これらの脚部は実質的に周縁フランジ１１６の高さ全体に亘って延在している。両脚部１６１、１６２の収斂端部にはフィルムヒンジ１４５が設けられている。タブ片１３６の内面側には下から見てほぼ三角形の補強部１６３が設けられ、この補強部は、タブ片１３６に一体成形されて三角形状に互いに向かって収斂する脚部１６４、１６５によって形成され、そのうち一方の脚部１６５が相対的に長くされている。この補強材１６３は、互いに向かって収斂する脚部１６４、１６５を受容するほうの端部でフィルムヒンジ１４５と結合されており、この端部は実質的にタブ片１３６の高さ全体に亘って延在している。タブ片１３６の自由端縁１３９から遠い方の端部における取付支持部１６０と補強材１６３とのフィルムヒンジ１４５による結合は、作動端部１４７をフィルムヒンジ１４５の周面を超えて外方に突き出した位置に置くものであり、タブ片１３６は作動端部１４７までのごく短い作動レバー長と自由端縁１３９までのごく長い取っ手レバー長とを有することになる。自由端縁１３９側に向かう取っ手部１５０においては、タブ片１３６はその内面側で短い支持脚部１６６”によって支持されており、この支持脚部はバケツ本体１１１の周面上に突設され、従ってタブ片１３６は非作動状態においては周縁フランジ１１６の外周面内に位置している。
【００４０】
開蓋補助具１１３としてのタブ片１３６の機能は以下のように果たされる。即ち、タブ片１３６の周方向の自由端縁、例えば周縁フランジ１１６の下端縁１４２の下に突出もしくは拡幅されている取っ手部１５０を掴んで縦向きの枢動軸心１４５周りに外方へ、即ちバケツ本体１１１から離れる方向に枢動させる。これによるカム軌条１４０の外方への枢動によって蓋１１２の下端縁１３４にカム軌条が作用し、タブ片１３６が更に枢動されるのに伴って外方へ回動しつつ上昇するカム軌条１４０により蓋１１２が外向きに若干変形されながら係止を解除されて持ち上げられる（図１３）。このタブ片１３６の領域において蓋１１２が開蓋補助具１１３によって持ち上げられると、もはや蓋１１２は下端縁１３４に手を掛けて外すことが可能である。タブ片１３６はフィルムヒンジ１４５の弾性で元の位置に戻り、例えばバケツ１１０の内容物の出し入れの後に再び蓋１１２を閉じて係止させることができる。
【００４１】
バケツ１１０の本体１１１に蓋１１２のために設けられたタブ片１３６の形態の開蓋補助具１１３と連動して未開封保証手段１１５が設けられており、この未開封保証手段は、その適正な係止位置を占めた後、蓋１１２をバケツ本体１１１から外すための開蓋補助具１１３が既に少なくとも１回は操作されたか否かを知らせることができる。
【００４２】
第３実施形態において、この未開封保証手段１１５は枢動可能なラッチクリップ１７０によって形成されており、このラッチクリップは、周縁フランジ１１６の端縁１４３と、これに対面ずるタブ片１３６の作動端部１４７との間の隙間１４８に配置されている。ラッチクリップ１７０は実質的に周縁フランジ１１６の下部フランジ端１２４の高さに亘って延在し、下から見てほぼＴ字状又はハンマー状の形状に構成されている。従って、このラッチクリップ１７０は１つのベース脚部１７１とその先端に直交して両側に延在する両腕部１７２と１７３とを有し、ベース脚部１７１はその自由端がフィルムヒンジ１７５からなる枢動軸心を介して固定取付脚部１７６に結合され、この取付脚部１７６はバケツ本体の周方向で取付支持部１６０から突出している。こうして両方の枢動軸心１４５、１７５は１つの周面内で平行に延在するように配置されている。フィルムヒンジ１７５から遠い方の先端部でベース脚部１７１には互いに同一の湾曲面に沿って両側に延在する２つの腕部１７２、１７３が固定されている。タブ片１３６の作動端部１４７側に向いている一方の腕部１７２は比較的短いが、それに対して周縁フランジ１１６側に向いている腕部１７３は比較的長い。周方向における両腕部１７２、１７３の長さは隙間１４８の内法幅よりも僅かに短い。外面側において腕部１７２、１７３はラッチ部１７４を備えており、このラッチ部は両端縁１４３、１４７の方向に延在している。枢動ラッチクリップ１７０のベース脚部１７１の長さは、ラッチクリップ１７０を矢印Ｒ方向に枢動させたときに長い方の腕部１７３の自由端縁が凹部１３７、即ち周縁フランジ１１６側の自由端縁１４３の内側に沈み込むような寸法である。周縁フランジ１１６はその全周面に亘ってほぼ一定の間隔で前述支持脚部１６６を備えており、そのうちラッチクリップ１７０に対向する支持脚部１６６’は、図示の実施形態においてはラッチクリップ１７０に向き合う側の表面に２つの平行なラッチ受け用の係止リブ１７７を備えており、図１１に示すタブ片１３６の枢動状態のときに係止リブはこの位置においてラッチクリップ１７０の係止ラッチ機能を果たすようになっている。
【００４３】
未開封保証手段１１５の動作は、図１０と図１１のタブ片１３６及びラッチクリップ１７０の様々な状態から明らかである。即ち、タブ片１３６が図９の出発位置、即ち密閉閉蓋位置から矢印Ｓの方向に動かされると、タブ片１３６の作動端部１４７が図１０に示すように先ずラッチクリップ１７０の短いほうの腕部１７２、次いでベース脚部１７１の対向面に作用し、ラッチクリップ１７０を矢印Ｒで示す方向に枢動させて周縁フランジ１１６の下部で隣接支持脚部１６６’へ移動させる。タブ片１３６が更に枢動され、それと並行して蓋１１２の持ち上げ動作が起きると、ラッチクリップ１７０のラッチ部１７４は支持脚部１６６’のラッチ受け用係止リブ１７７に係合ラッチされる。ラッチクリップ１７０は、たとえタブ片１３６が図１１に示す開放位置から矢印Ｖ方向へ図９に示す出発位置に戻されたり、或いはフィルムヒンジ１４５の弾性で自動的に戻ったとしても、この４５°〜９０°枢動したラッチ位置に留まり、また開封後のタブ片を元の出発位置に近い復帰位置に戻せば蓋１１２を再び閉蓋状態にしてタブ片１３６によってラッチ状態に復帰させることができる。このようにして、容器が既に開封されているか否かをラッチクリップ１７０のラッチ位置に基づいて明確に視認することができる。
【図面の簡単な説明】
【００４４】
【図１】本発明の第１実施形態によるバケツタイプの蓋付きポット形容器の密閉状態における要部を示す概略斜視図である。
【図２】図１の破線矩形領域ＩＩの部分を示す拡大斜視図である。
【図３】図１に対応して開放補助具の部分で蓋がバケツから持ち上げられつつある状態を示す斜視図である。
【図４】図３の状態における図２と同様の拡大斜視図である。
【図５Ａ】本発明の第２実施形態による蓋付きポット形容器の要部を図１と同様の状態で示す概略斜視図である。
【図５Ｂ】図５Ａの矢印ＶＢで示す方向から見上げた内側の斜視図である。
【図６Ａ】図３と同様の状態における図５Ａに対応する斜視図である。
【図６Ｂ】図３と同様の状態における図５Ｂと同様の斜視図である。
【図７】第１実施形態の別の変形形態の要部を蓋なしの状態で示す図２と同様の拡大斜視図である。
【図８】本発明の第３実施形態に従って閉蓋されるべきバケツタイプのポット形容器の要部を開蓋用タブ片が閉蓋位置にある状態で且つ一点鎖線の蓋と共に示す側面図である。
【図９】図８の矢印ＩＸで示す方向から見た見上げた内側の斜視図である。
【図１０Ａ】開蓋用タブ片の枢動中における図９と同様の斜視図である。
【図１０Ｂ】前図よりも更に開蓋用タブ片の枢動が進んだ状態における同様の斜視図である。
【図１１】開蓋用タブ片が完全な開蓋位置に達した状態における図９と同様の斜視図である。
【図１２】図８のＸＩＩ‐ＸＩＩ線矢視方向に切り欠いて示した容器本体及びそれに係止された状態で閉蓋状態にある蓋の要部を示す斜視図である。
【図１３】図１１と同様にタブ片が完全な開蓋位置に達して蓋が持ち上げられている状態における図８に対応した斜視図である。
【図１】
2005533729.tif 000003
【図２】
2005533729.tif 000004
【図３】
2005533729.tif 000005
【図４】
2005533729.tif 000006
2005533729.tif 000007
2005533729.tif 000008
【図７】
2005533729.tif 000009
【図８】
2005533729.tif 000010
【図９】
2005533729.tif 000011
2005533729.tif 000012
【図１１】
2005533729.tif 000013
【図１２】
2005533729.tif 000014
【図１３】
2005533729.tif 000015
【国際調査報告】
2005533729.tif 000016
2005533729.tif 000017
2005533729.tif 000018
2005533729.tif 000019